(57)【特許請求の範囲】
【請求項１】
照明機能と画像投写機能とを有する照明装置であって、
光源を有し、照明用の光源として機能するとともに画像投写用の光源として機能する光源部と、
前記光源部からの光を照明用または画像投写用の画像情報に基づいて変調して画像を形成する画像形成部、及び当該画像形成部によって形成された画像を投写面に投写するレンズを含む画像投写部と、
前記光源が点灯したことを検知すると前記光源部を前記照明用の光源として機能させ、前記照明機能による状態において画像投写開始指示がなされると前記光源部を前記画像投写用の光源として機能させ、前記機能に応じて前記画像投写部を制御する制御部と、
を備え、
前記制御部は、前記照明装置と前記投写面との距離が計測された距離データが保存されていない場合は、前記距離を計測し、前記距離データが保存されている場合は、前記距離の計測は行わず、
前記画像投写開始指示がなされた場合には、前記距離データに応じて前記レンズの焦点距離を調整して、前記画像投写機能により画像を投射し、
前記画像投写機能による状態において画像投写停止指示がなされた場合には、前記画像投写機能によって画像が投写される投写範囲よりも広い範囲に光が照射されるように前記レンズの焦点距離を調整して、前記照明機能により光を照射することを特徴とする照明装置。
【請求項２】
請求項１に記載の照明装置において、
前記制御部は、前記照明機能により光を照射する場合には、白画像を投写するように前記画像投写部を制御することを特徴とする照明装置。
【請求項３】
請求項１又は２に記載の照明装置において、
前記投写面までの距離を計測可能な距離計測部をさらに有することを特徴とする照明装置。
【請求項４】
請求項３に記載の照明装置において、
前記レンズは、電圧が印加されることによって伸縮して焦点距離が変化するレンズであって、
前記制御部は、前記距離計測部によって計測された前記投写面までの距離に応じた電圧を印加することによって前記レンズの焦点距離を調整することを特徴とする照明装置。
【請求項５】
請求項１〜４のいずれかに記載の照明装置において、
ユーザーが行う指示動作を撮像可能な撮像部を有し、
前記制御部は、前記撮像部から出力される撮像画像データに基づいて、前記ユーザーが行う指示動作に対応する制御を行うことを特徴とする照明装置。
【請求項６】
請求項１〜５のいずれかに記載の照明装置において、
音声の出力を可能とする音声出力部を有することを特徴とする照明装置。
【請求項７】
請求項１〜６のいずれかに記載の照明装置において、
前記制御部は、投写すべき画像に対応する画像情報をネットワークから取得する機能を有することを特徴とする照明装置。
【請求項８】
請求項１〜７のいずれかに記載の照明装置において、
前記制御部は、投写すべき画像の種類の選択が可能な選択画面を投写する機能を有することを特徴とする照明装置。
【請求項９】
請求項１〜８のいずれかに記載の照明装置において、
電球取り付け用ソケット、電球取り付け用レセプタクル、引っ掛けローゼット又は引っ掛けシーリングのいずれかに電気的に接続可能な接続部を有することを特徴とする照明装置。
【発明の詳細な説明】
【技術分野】
【０００１】
本発明は、照明機能と画像投写機能とを有する照明装置に関する。
【背景技術】
【０００２】
従来、照明機能と画像投写機能とを有する照明装置が知られている（例えば、特許文献１及び特許文献２参照。）。
【０００３】
特許文献１及び特許文献２に開示されている照明装置（従来の照明装置という。）は、照明装置に設けられているグローブの内壁面に画像投写装置としてのプロジェクターを設け、照明用の光源をオフした場合にプロジェクターにより画像の投写が可能となるように構成されている。
【先行技術文献】
【特許文献】
【０００４】
【特許文献１】特開２００６−１２７８４５号公報
【特許文献２】特開２００６−８６０２４号公報
【発明の概要】
【発明が解決しようとする課題】
【０００５】
しかしながら、従来の照明装置は、グローブを利用してプロジェクターを設置するようにしているため、グローブを有する照明装置を使用することが前提であり、照明機能と画像投写機能とを有する照明装置を構成する際に適用可能な照明装置の種類が限定されてしまうこととなる。
【０００６】
また、従来の照明装置は、照明用の光源とは別に画像投写装置としてのプロジェクターを組み込んだ構成となっているため、照明用の光源とプロジェクター用の光源それぞれが存在することとなり、照明装置全体の構成要素が多くなり、価格も高価なものとなり、また、重量も重くなるといった課題がある。
【０００７】
そこで、本発明は、照明機能と画像投写機能とを有する照明装置を構成する際に適用可能な照明装置の種類の制限を少なくすることができ、かつ、構成を簡素化することができる照明装置を提供することを目的とする。
【課題を解決するための手段】
【０００８】
［１］本発明の照明装置は、照明機能と画像投写機能とを有する照明装置であって、照明用の光源として機能するとともに画像投写用の光源として機能する光源部と、前記光源部からの光を照明用または画像投写用の画像情報に基づいて変調して画像を形成する画像形成部と、当該画像形成部によって形成された画像を投写面に投写するレンズを有する投写部と、前記光源及び前記画像投写部を制御する制御部と、既存の照明装置取り付け具に電気的に接続可能な接続部と、を有することを特徴とする。
【０００９】
本発明の照明装置によれば、照明装置内に、画像投写に必要な構成要素を組み込みむような構成としているため、グローブなどの有無に関わらずに、照明機能と画像投写機能とを有する照明装置を構成することができる。このため、照明機能と画像投写機能とを有する照明装置として適用可能な照明装置の種類の制限を少なくすることができる。また、本発明の照明装置によれば、光源部の光源は照明用の光源として機能するとともに画像投写用の光源として機能するようにしているため、照明用の光源及び画像投写用の光源を個々に設ける必要がない。このため、構成を簡素化することができ、かつ、軽量化が図れる。
【００１０】
また、本発明の照明装置は、既存の照明装置取り付け具に取り付け可能な接続部を備えているため、白熱電球、電球型蛍光ランプ及び電球型ＬＥＤランプなどを取り付ける場合と同様に本発明の照明装置を取り付けることができる。このため、専門業者などに頼ることなく、一般のユーザーが本発明の照明装置を手軽に所望とする場所に取り付けることができる。
【００１１】
［２］本発明の照明装置においては、前記制御部は、前記光源が前記照明用の光源として機能している状態で、ユーザーからの画像投写指示を検知すると、前記画像投写部を制御して画像の投写を行うことが好ましい。
【００１２】
これにより、本発明の照明装置が照明用として機能している状態から、容易に画像投写への切り替えが可能となる。
【００１３】
［３］本発明の照明装置においては、前記投写面までの距離を計測可能な距離計測部を有することが好ましい。
【００１４】
このような距離計測部を有することにより、当該距離計測部によって計測された画像表示面までの距離に応じた画像の投写を行うことができる。
【００１５】
［４］本発明の照明装置においては、前記レンズは、電圧が印加されることによって伸縮して焦点距離が変化するレンズであって、前記制御部は、前記距離計測部によって計測された前記投写面までの距離に応じた電圧を印加することによって前記レンズの焦点距離を調整することが好ましい。
【００１６】
これにより、画像投写面までの距離に応じてレンズの焦点距離を自動的に調整することができ、ユーザーが調整することなく、投写面に投写される画像を明瞭な画像とすることができる。
【００１７】
［５］本発明の照明装置においては、ユーザーが行う指示動作を撮像可能な撮像部を有し、前記制御部は、前記撮像部から出力される撮像画像データに基づいて、前記ユーザーが行う指示動作に対応する制御を行うことが好ましい。
【００１８】
このような構成とすることにより、ユーザーは本発明の照明装置に直接触れることなく、本発明の照明装置に対して種々の制御を行うことができる。なお、ユーザーが行う指示動作としては、例えば、ユーザーが手を所定回数左右に振るなどの動作（ゼスチャー）である。このような制御は、ユーザーが行う指示動作と制御すべき内容とを対応付けておくことにより実現可能である。
【００１９】
［６］本発明の照明装置においては、音声の出力を可能とする音声出力部を有することが好ましい。
【００２０】
このような構成とすることにより、画像の投写とともに音声をも出力することができ、それによって、本発明の照明装置の用途をより多様化することができる。
【００２１】
［７］本発明の照明装置においては、前記制御部は、投写すべき画像に対応する画像情報をネットワークから取得する機能を有することが好ましい。
【００２２】
これにより、種々の画像を投写することができる。例えば、Ｗｅｂサイトに存在する情報を取得可能とすれば、必要な情報を手軽に表示することができる。
【００２３】
［８］本発明の照明装置においては、前記制御部は、投写すべき画像の種類の選択が可能な選択画面を投写する機能を有することが好ましい。
【００２４】
これにより、様々な分野の情報を表示させることができ、本発明の照明装置の用途をより多様化することができる。
【００２５】
［９］本発明の照明装置においては、前記照明装置取り付け具は、電球取り付け用ソケット、電球取り付け用レセプタクル、引っ掛けローゼット、引っ掛けシーリングのいずれか１つであることが好ましい。
【００２６】
このような照明装置取り付け具に対応した接続部を本発明照明装置に取り付けておくことにより、一般的な照明装置を取り付ける場合と同様に手軽に本発明の照明装置を取り付けることができる。また、本発明の照明装置を取り外す際の取り外しも容易であるため、取り付け場所の変更も容易である。
【図面の簡単な説明】
【００２７】
【図１】実施形態１に係る照明装置１０の構成を模式的に示す図。
【図２】実施形態１に係る照明装置１０の光学系の構成を模式的に示す図。
【図３】実施形態１に係る照明装置１０の取り付け例について説明するために示す図。
【図４】実施形態１に係る照明装置１０によって調理台４３０の上面４３１に画像を投写した場合の投写例を示す図。
【図５】実施形態１に係る照明装置１０の基本的な動作を説明するために示すフローチャート。
【図６】実施形態２に係る照明装置２０を説明するために示す図。
【図７】実施形態２に係る照明装置２０の一連の動作を説明するために示すフローチャート。
【図８】ユーザーがメニュー選択画面から画像の種類を選択した場合の処理の流れを説明するフローチャート。
【図９】天井４１０に取り付けられている引っ掛けシーリング５００に照明装置を取り付ける場合を説明するために示す図。
【発明を実施するための形態】
【００２８】
以下、本発明の照明装置の実施形態について説明する。
【００２９】
［実施形態１］
図１は、実施形態１に係る照明装置１０の構成を模式的に示す図である。図１において、実線で示す矢印は電気信号の流れを示すものであり、白抜きの矢印は、光の進行を示すものである。
【００３０】
実施形態１に係る照明装置１０は、外観的には、図１に示すように、照明装置本体１００と、照明装置本体１００を既存の照明装置取り付け具（例えば、電球取り付け用レセプタクルまたは電球取り付け用ソケット）３００に接続するための接続部（接続具と表記する場合もある。）２００とを有する照明装置である。
【００３１】
照明装置本体１００は、光源部１１０と、画像形成部１２０と、画像形成部１２０によって形成された画像を投写面に投写するレンズ１３０と、照明装置本体１００から投写面までの距離を計測可能な距離計測部１４０と、ユーザーが行う指示動作（後述する。）を撮像可能な撮像部１５０と、レンズ１３０に電圧を印加するための電極１６０と、制御部１７０とを有している。なお、これら各構成要素については後に詳細に説明する。
【００３２】
接続具２００は、実施形態１に係る照明装置１０においては、白熱電球、電球型蛍光ランプ及び電球型ＬＥＤランプなどに設けられている口金と同様のものであるとする。このため、実施形態１に係る照明装置１０は、これら白熱電球、電球型蛍光ランプ及び電球型ＬＥＤランプなどと同様に、口金を電球取り付け用レセプタクルまたは電球取り付け用ソケットなどの照明装置取り付け具３００にネジ込むことによって、電球取り付け用レセプタクルまたは電球取り付け用ソケットに接続することができる。
【００３３】
図２は、実施形態１に係る照明装置１０の光学系の構成を模式的に示す図である。実施形態１に係る照明装置１０の光学系は、図２に示すように、光源部１１０と、画像形成部１２０と、投写レンズとしてのレンズ１３０とからなる。画像形成部１２０は、液晶光変調素子が用いられ、以下では、画像形成部１２０を液晶光変調素子１２０ともいう。このように、実施形態１に係る照明装置１０の光学系は、単板式の液晶プロジェクターとほぼ同様の構成となっている。なお、液晶光変調素子１２０とレンズ１３０との組み合わせを画像投写部１９０と呼ぶことにする。
【００３４】
光源部１１０は、光源１１１（白色発光ダイオードとする。）と、コリメーター光学系１１２と、偏光変換素子１１３とを備える。光源１１１は、ここでは詳細な説明を省略するが、赤色光、緑色光及び青色光を含む光を射出する。また、光源１１１は、照明用の光源として機能するとともに画像投写部１９０の光源として機能するものである。
【００３５】
コリメーター光学系１１２は、光源１１１から射出される光を平行化する光学素子である。偏光変換素子１１３は、コリメーター光学系１１２を通過する光を偏光変換する素子である。当該偏光変換素子１１３は、入射した光を偏光成分のうち一方の直線偏光成分をそのまま透過し、他方の直線偏光成分を照明光軸１１０ａｘに垂直な方向に反射する偏光分離層と、当該偏光分離層で反射された他方の直線偏光成分を照明光軸１１０ａｘに平行な方向に反射する反射層と、当該反射層で反射された他方の直線偏光成分を一方の直線偏光成分に変換する位相差板とを有している。
【００３６】
液晶光変調素子１２０は、光源部１１０からの光を、投写すべき画像情報に応じて変調してフルカラー画像光を射出する光変調素子である。また、液晶光変調素子１２０は、カラーフィルター（図示せず。）を有する。当該カラーフィルターは、反射型のダイクロイックフィルターを有するベイヤー配列のカラーフィルターからなり、光源部１１０からの光を画素ごとに、赤色光。緑色光及び青色光に分離する色分離光学系としての機能を有する。なお、色分離光学系としては他の色分離光学系を用いてもよい。
【００３７】
また、液晶光変調素子１２０は、偏光変換素子１１３側に配置される入射側偏光板（図示せず。）と、レンズ１３０側に配置される射出側偏光板（図示せず。）とをさらに有する。この構成によって、各色光の光変調が行われる。
【００３８】
レンズ１３０は、電極１６０（図１参照）に印加する電圧の大きさに応じて伸縮（厚みが変化）し、それにより、焦点距離の調整（フォーカス調整という。）が可能なレンズである。このようなレンズは公知であり、例えば、２０ボルトの電圧を電極に印加すると、レンズの厚みが７５０マイクロメートルから３７５マイクロメートルにまで変化するものなどが存在する。
【００３９】
このようなレンズ１３０を投写レンズとして用いることにより、液晶光変調素子１２０によって形成された画像を投写面に拡大投写することができる。なお、実施形態１に係る照明装置１０を例えばキッチンにおいて用いる場合には（図３及び図４参照）、調理台４３０の上面４３１などを投写面とすることができる。
【００４０】
距離計測部１４０は、照明装置本体１００から投写面までの距離を計測するものであり、距離計測部１４０から出力される距離データは制御部１７０に送られる。撮像部１５０は、ユーザーが行う指示動作（後述する。）を撮像可能に設置されており、撮像部１５０から出力される撮像データは制御部１７０に送られる。
【００４１】
制御部１７０は、光源部１１０の光源１１１、液晶光変調素子１２０、レンズ１３０、距離計測部１４０、撮像部１５０を制御する機能を有するとともに、例えば、Ｗｅｂサイトに存在する情報の取得が可能なＷｅｂ情報取得機能、テレビジョン放送（以下、ＴＶ放送という。）などを受信可能な通信機能などを有している。また、制御部１７０は、記憶部（図示せず。）を有している。
【００４２】
このように構成された照明装置１０においては、光源部１１０、画像形成部１２０及びレンズ１３０は、同一直線上に配置されている。そして、当該照明装置１０が照明用として機能する場合には、画像投写部１９０から白画像が投写されるようになっている。
【００４３】
図３は、実施形態１に係る照明装置１０の取り付け例を説明するために示す図である。図３は、照明装置１０を一般住宅のキッチン４００に取り付けた場合を例示している。照明装置取り付け具３００はキッチン４００の天井４１０に元々取り付けられている電球取り付け用レセプタクル（以下、レセプタクル３００と略記する）であり、照明装置１０は、当該レセプタクル３００に接続具２００（図１参照）をねじ込むことによって取り付けられている。また、照明装置１０は、キッチン４００の床４２０上に設置されている調理台４３０の上面４３１の所定の範囲Ｇ（投写範囲Ｇともいう）（図４参照）内に画像を投写可能とするとともに、投写範囲Ｇを含む所定範囲を照明可能とするよう取り付けられている。
【００４４】
照明装置１０は、電源スイッチがオンされることにより、まず光源部１１０の光源１１１が点灯して、照明用として機能するようになっている。なお、ここでの電源スイッチというのは、照明装置１０に設けられているスイッチではなく、当該照明装置１０が取り付けられている部屋の壁などに設けられているスイッチ（メインスイッチという）４４０（図３参照）である。
【００４５】
図４は、実施形態１に係る照明装置１０によって調理台４３０の上面４３１に画像を投写した場合の投写例を示す図である。図４に示すように、調理台４３０の上面４３１における投写範囲Ｇ内には、例えば、所望する料理のレシピが投写される。このようなレシピは、Ｗｅｂサイトなどから取得することができる。料理を行う人は、投写範囲Ｇ内に投写されたレシピを見ながら料理を行うことができる。
【００４６】
図５は、実施形態１に係る照明装置１０の基本的な動作を説明するために示すフローチャートである。なお、図５に示すフローチャートは、主には照明装置１０の制御部１７０が行う動作を説明するものであるが、ユーザーが行う操作も一部含まれている。
【００４７】
メインスイッチ４４０がユーザーによってオンされると（ステップＳ１）、光源部１１０の光源１１１が点灯する（ステップＳ２）。ここで、制御部１７０は、光源１１１が点灯したことを検知すると、この段階では、白画像を投写するような制御を行う。これにより、投写範囲Ｇ内には画像が存在しない白色光による照明がなされ、この状態は、実施形態１に係る照明装置１０が照明用として機能している状態である。
【００４８】
なお、レンズ１３０のフォーカス調整は、画像を投写する場合だけではなく、照明として使用する場合においても使用することができる。例えば、照明用としての光が、可能な限り広範囲に広がる（光が拡散する）ようにレンズ１３０のフォーカス調整を行えば、照明装置本体１００から照射される光は、投写範囲Ｇよりも広い範囲を照射することができ、一連の作業を行う際に非常に便利である。逆に、光を投写範囲Ｇ内に投写するようにレンズ１３０のフォーカス調整を行えば、照明装置本体１００から照射される光は、スポットライト的に照射することができ、細かな作業を行う際に非常に便利である。このように、照明装置１０を照明用として機能させる場合においても、レンズ１３０のフォーカス調整を行うことにより、照明用としての光の広がり具合や光の均一性などを調整することができる。
【００４９】
照明装置１０が照明用として機能している状態において、制御部１７０は、投写面までの距離計測を行うか否かを判定し（ステップＳ３）、距離計測を行うと判定した場合（ステップＳ３における「Ｙｅｓ」の場合）には、距離計測部１４０に距離計測指示を出し、距離計測部１４０によって計測された距離データを記憶部（図示せず）に保存する（ステップＳ４）。ここで、制御部１７０は、画像投写開始指示待ちの状態となり、当該画像投写開始指示待ちの状態において画像投写開始指示が有りか否かを判定する（ステップＳ５）。
【００５０】
なお、上記ステップＳ３において、制御部１７０が距離計測を行うか否かを判定するのは、当該照明装置本体１００と投写面との距離が固定的である場合は、一度、距離計測を実施すれば、距離計測はそれ以降行う必要はなく距離計測を省略できるからである。距離計測を行うか否かは、計測された距離データが記憶部に保存されているか否かによって判定することができる。そして、ステップＳ３において、距離計測を行わないと判定した場合（ステップＳ３における「Ｎｏ」の場合）には、制御部１７０は、距離計測部１４０に対して距離計測指示を出力せず、ステップＳ５の処理に進む。
【００５１】
ここで、ユーザーから画像投写開始指示が出された場合（ステップＳ５において「Ｙｅｓ」の場合）には、制御部１７０は、記憶部に保存されている距離データに基づいて、レンズ１３０に所定の電圧を印加してレンズ１３０のフォーカス調整を行い（ステップＳ６）、画像投写を開始する（ステップＳ７）。投写範囲Ｇ内に投写される画像は、投写面までの距離に応じてレンズのフォーカス調整がなされているため、明瞭な画像となる。
【００５２】
なお、画像投写開始指示は、ユーザーが照明装置本体１００の下で所定の動作（ジェスチャー）をすることによって行う。例えば、ユーザーが自身の手を左右に２回振るなどの動作を行う。ユーザーが行うこのような動作は撮像部１５０によって撮像され、その撮像データは、制御部１７０に送られ、制御部１７０は、撮像データに基づいてユーザーがどのような動作を行ったかを判定して、その判定結果に対応した制御を行う。このような制御は、ユーザーが行う指示動作と制御すべき内容とを対応付けておくことにより実現可能である。
【００５３】
そして、照明装置１０が画像投写用として機能している状態において、制御部１７０は画像投写終了指示待ちの状態となり、当該画像投写終了指示待ちの状態において画像投写終了指示が有るか否かを判定する（ステップＳ８）。なお、ユーザーが画像投写終了指示を出す場合は、画像投写開始指示を出す場合と同様に、照明装置本体１００の下で所定の動作を実行する。例えば、ユーザーは自身の手を左右に４回振るなどの動作を行う。
【００５４】
ユーザーが行うこのような動作は撮像部１５０によって撮像され、その撮像データは、制御部１７０に送られ、制御部１７０は、撮像データに基づいてユーザーがどのような動作を行ったかを判定して、その判定結果に対応した制御を行う。ここで、制御部１７０は、ユーザーの行った動作が画像投写終了指示であると判定した場合（ステップＳ８において「Ｙｅｓ」の場合）には、画像投写を終了するとともにレンズ１３０への電圧印加を終了する（ステップＳ９）。これによって、照明装置１０は、照明用として機能する状態となる。
【００５５】
以上説明したように、照明装置１０においては、照明装置本体１００内に、画像投写部１９０（画像形成部１２０及びレンズ１３０）を組み込みむような構成としているため、グローブなどを有無に関わらずに、照明機能と画像投写機能とを有する照明装置を構成することができる。このため、画像投写機能を有する照明装置として適用可能な照明装置の種類の制限を少なくすることができる。
【００５６】
また、照明装置１０においては、光源１１１は照明用の光源として機能するとともに画像投写用の光源として機能するようにしている。このため、照明用の光源及び画像表示用の光源を個々に設ける必要がなく、構成を簡素化することができ、かつ、軽量化を図ることができる。
【００５７】
また、照明装置１０においては、既存の照明装置取り付け具３００に電気的に接続可能な接続具２００を備えているため、白熱電球、電球型蛍光ランプ及び電球型ＬＥＤなどを取り付ける場合と同様に実施形態１に係る照明装置１０を取り付けることができる。このため、専門業者などに頼ることなく、一般のユーザーが照明装置１０を手軽に所望とする場所に取り付けることができる。
【００５８】
また、照明装置１０においては、画像投写開始指示及び画像投写終了指示など、照明装置１０に対して行う各種の指示は、ユーザーが行う動作（ジェスチャー）によって可能としているため、ユーザーは直接スイッチに触れて切り替えを行う必要がない。すなわち、料理している最中などにおいて、食材に触れた手や水に濡れた手などで照明装置１０に直接触れる必要がないため、照明装置が汚れたり、水による故障を起こすことがない。また、逆に照明装置に触れた手で食材に触れることもないため、衛生面においても優れたものとなる。
【００５９】
また、照明装置１０においては、電圧の印加によりフォーカス調整が可能なレンズ１３０を用い、投写面まで距離に応じた電圧を印加することにより、フォーカス調整を行えるようにしている。このため、実施形態１に係る照明装置１０を画像投写用として用いる場合には、投写面に投写される画像を、より明瞭な画像とするための調整を自動的に行うことができる。
【００６０】
［実施形態２］
実施形態２に係る照明装置２０においては、投写すべき画像の種類を選択可能とする。なお、実施形態２に係る照明装置２０の構成は、基本的には図１と同様であるが、投写する画像の種類によっては、音声の出力も行う場合もある。このため、実施形態２に係る照明装置２０においては、音声出力部（スピーカ）１８０を有している。
【００６１】
図６は、実施形態２に係る照明装置２０を説明するための図である。なお、図６は照明装置２０の構成を模式的に示す図であり、図１と同様、実線で示す矢印は電気信号の流れを示すものであり、白抜きの矢印は、光の進行を示すものである。
【００６２】
図６に示すように、照明装置２０は、音声出力部１８０を有している。このこと以外は、実施形態１に係る照明装置と同様であるので、同一構成要素には同一符号が付されている。また、照明装置２０は、図３及び図４と同様に取り付けられているものとする。
【００６３】
照明装置２０において、投写可能な画像の種類としては、実施形態１に係る照明装置１０と同様にＷｅｂサイトに存在する情報の他に、ＴＶ放送、ソフトウエアキーボード上などからユーザーが入力するメモ情報であるとする。
【００６４】
図７は、照明装置２０の動作を説明するために示すフローチャートである。なお、図７に示すフローチャートは図５に示フローチャート同様に、主には制御部１７０が行う動作を説明するものであるが、ユーザーが行う操作も一部含まれている。なお、ステップＳ１１〜Ｓ１６までは、図５におけるステップＳ１〜Ｓ６と同じであるため、説明は省略する。
【００６５】
ここでは、ステップＳ１５において、制御部１７０が画像投写開始指示有りと判定した場合について説明する。画像投写開始指示有りと判定した場合は、レンズ１３０のフォーカス調整（ステップＳ１６）を行った後、投写すべき画像の種類の選択が可能な選択画面（メニュー選択画面という。）を投写する（ステップＳ１７）。メニュー選択画面を表示した後、制御部１７０は、当該メニュー選択画面からユーザーが画像の種類を選択したか否かを判定する（ステップＳ１８）。
【００６６】
ここで、ユーザーが画像の種類を選択した場合（ステップＳ１８において「Ｙｅｓ」の場合）には、「Ａ」のパス（図８参照）に進み、画像の種類を選択しなかった場合（ステップＳ１８において「Ｎｏ」の場合）には、画像投写終了指示が出されているか否かを判定する（ステップＳ１９）。画像投写終了指示が出されている場合には、ステップＳ２０を行う。ステップＳ２０は、図５におけるステップＳ９と同じであるので説明は省略する。
【００６７】
なお、投写されているメニュー選択画面から画像の種類を選択する際は、例えば、ユーザーがメニュー選択画面を指などで指示する動作を行う。ユーザーが行った動作は、撮像部１５０によって撮像され、その撮像データが制御部１７０に与えられる。これにより、制御部１７０においては、ユーザーがどの画像を選択したかを判定することができる。
【００６８】
図８は、ユーザーがメニュー選択画面から画像の種類を選択した場合の処理の流れを説明するフローチャートである。なお、メニュー選択画面においては、選択可能な画像の種類として、「Ｗｅｂ情報」、「ＴＶ放送」、「メモ情報」の３種類が用意されていて、ユーザーはこれら３種類の中からいずれかを選択可能となっている。
【００６９】
図８において、まず、ユーザーが「Ｗｅｂ情報」を選択したか否かを判定し（ステップ３１）、ユーザーがＷｅｂ情報を選択している場合（ステップＳ３１において「Ｙｅｓ」の場合）には、ユーザーの選択したＷｅｂ情報を投写する（ステップＳ３２）。ここでユーザーの選択したＷｅｂ情報は、実施形態１に係る照明装置と同様に料理のレシピなどである。
【００７０】
Ｗｅｂ情報を投写したあと、ユーザーが何らかの制御動作（例えば、ページめくり動作など）が行われているか否かを判定し（ステップＳ３３）、何らかの制御動作が行われている場合（ステップＳ３３において「Ｙｅｓ」の場合）には、制御動作に対応した画面制御を行う（ステップＳ３４）。ここで行われる画面制御は、例えば、ユーザーがページをめくる動作を行うと、その動作に対応して、レシピのページがめくられるように制御することである。なお、この場合も、ユーザーの行う動作（ページめくり動作）は撮像部１５０によって撮像される。そして、制御部１７０は撮像部１５０から出力される撮像データに基づいてユーザーの動作を判定して、ユーザーが行うページをめくる動作に対応して、レシピのページがめくられるような画面制御を行う。
【００７１】
一方、ユーザーが上記したような制御動作を行わなかったと判定した場合（ステップＳ３３において「Ｎｏ」の場合）は、現時点において投写されている画像、すなわち、メニュー選択画面から選択されている画像（選択画像という）の投写終了指示が出されているか否かを判定する（ステップＳ３５）。
【００７２】
ここで、制御部１７０は、選択画像投写終了指示が出されていると判定した場合（ステップＳ３５において「Ｙｅｓ」の場合）には、当該選択画像の投写を終了するとともに、音声の出力が行われている場合には、音声の出力も終了する（ステップＳ３６）。そして、その後、「Ｂ」のパスに進み、画像投写終了指示が出されているか否かを判定する（図７のステップＳ１９）。なお、図８におけるステップＳ３５において選択画像投写終了指示が出されていない場合（「Ｎｏ」の場合）には、「Ｃ１」のパスに進んでステップ３２に戻り、Ｗｅｂ情報の投写を継続する。
【００７３】
一方、ステップＳ３６において、「Ｂ」のパスに進んだ場合には、図７におけるステップＳ１９において、画像投写終了指示が出されているか否かを判定する。当該画像投写終了指示が出されているか否かを判定する処理は、画像の投写を終了して照明装置２０を照明用として機能させるか否かを判定する処理である。ここで、画像投写終了指示が出されている場合（ステップＳ１９において「Ｙｅｓ」の場合）は画像投写を終了し、レンズ１３０への電圧印加も停止する（ステップＳ２０）。これにより、当該照明装置２０は、照明用として機能する。一方、画像投写終了指示が出されていない場合（ステップＳ１９において「Ｎｏ」の場合）は、ステップＳ１７に戻り、再び、メニュー選択が可能となる。
【００７４】
ところで、図８におけるステップＳ３１において、ユーザーの選択した情報が「Ｗｅｂ情報」ではないと判定した場合（ステップＳ３１において「Ｎｏ」の場合）には、ユーザーの選択した情報が「メモ情報」であるか否かを判定し（ステップＳ３７）、ユーザーがメモ情報を選択している場合（ステップＳ３７において「Ｙｅｓ」の場合）には、メモ情入力画面（例えば、ソフトウエア―キーボード）を投写する（ステップＳ３８）。
【００７５】
そして、ユーザーによって何らかの制御動作（例えば、ソフトウエア―キーボード上でユーザーが文字などを入力する動作）が行われてか否かを判定し（ステップＳ３９）、何らかの制御動作が行われたと判定した場合（ステップＳ３９において「Ｙｅｓ」の場合）には、その制御動作に応じた画面制御を行う（ステップＳ４０）。この場合の画面制御は、ユーザーが入力した文字などを撮像部１５０が撮像し、制御部１７０は撮像部１５０から出力される撮像データに基づいてメモ情報を投写するような制御である。
【００７６】
一方、ユーザーが上記したような制御動作を行わなかったと判定した場合（ステップＳ３９において「Ｎｏ」の場合）には、ステップＳ３５の処理を行う。ステップＳ３５以降の動作は上述したとおり同様であるので説明は省略する。なお、ステップＳ３５において、選択画像投写終了指示が出されていない場合（ステップＳ３５において「Ｎｏ」の場合）には、「Ｃ２」のパスに進んでステップＳ３８に戻り、メモ情報入力画面投写を継続する。
【００７７】
また、図８におけるステップＳ３７おいて、ユーザーの選択した情報が「メモ情報」ではないと判定した場合（ステップＳ３７において「Ｎｏ」の場合）には、ＴＶ放送を投写するとともに、音声出力部１８０を動作（オン）させる（ステップＳ４１）。そして、ユーザーによって何らかの制御動作（例えば、チャンネルの切りり替えなど）が行われたか否かを判定し（ステップＳ４２）、何らかの制御動作が行われたと判定した場合（ステップＳ４２において「Ｙｅｓ」の場合）には、その制御動作に応じた画面制御を行う（ステップＳ４３）。
【００７８】
一方、ユーザーが上記したような制御動作を行わなかったと判定した場合（ステップＳ４２において「Ｎｏ」の場合）には、ステップＳ３５の処理を行う。ステップＳ３５以降の動作は上記同様であるので、説明は省略する。なお、ステップＳ３５において、選択画像投写終了指示が出されていない場合には、「Ｃ３」のパスに進んでステップＳ４１に戻り、ＴＶ放送の投写を継続する。
【００７９】
このように、照明装置２０においては、投写すべき画像の種類を選択可能として、選択した画像を投写可能としているため、実施形態１に係る照明装置１０で得られる効果に加えて、画像投写機能を有する照明装置２０としての使い道をより多様化することができるという効果が得られる。
【００８０】
以上、本発明を上記の実施形態に基づいて説明したが、本発明は上記の実施形態に限定されるものではなく、その要旨を逸脱しない範囲において種々の変形実施が可能であり、例えば、次のような変形も可能である。
【００８１】
（１）上記各実施形態に係る照明装置を構成するための照明装置本体１００の種類や形状などは、上記各実施形態において示したような種類及び形状の照明装置本体であることに限られるものではない。例えば、照明装置本体１００の形状は上記各実施形態においては球形としたが、球形に限られるものではなく、例えば、円筒形や直方体など種々の形状とすることができる。
【００８２】
（２）上記各実施形態においては、本発明の照明装置を天井に取り付けて使用する場合を例示したが、取り付け場所は天井に限られるものではなく、壁や柱であってもよい。また、天井、壁、柱に設置するのではなく、ハンディライトとして用いるようにすることも可能である。ハンディライトとして用いる場合には、接続具２００を当該ハンディライトの電球取り付け用のソケットに適合可能なものとすればよい。
【００８３】
（３）上記各実施形態においては、本発明の照明装置を住宅のキッチンに取り付けた場合を例示したが、キッチンに限られるものではなく、リビングルーム、寝室及び書斎など様々な場所に取り付け可能であり、また、住宅ではなく、例えば、店舗などにも取り付け可能である。
【００８４】
（４）上記各実施形態においては、天井に直接取り付けられている照明装置取り付け具（レセプタクル）３００に本発明の照明装置を取り付けるようにしたが、これに限られるものではなく、例えば、天井から接続コードによって照明装置取り付け具（例えば電球用ソケットなど）３００が吊り下げられている場合には、その電球用ソケットに本発明の照明装置を取り付けるようにすることもできる。
【００８５】
（５）上記各実施形態においては、接続具２００は、電球取り付け用レセプタクルや電球取り付け用ソケットに接続可能な接続具（ねじ込み式の口金）とした場合を例示したが、接続具２００としてはこれに限られるものではなく、例えば、照明装置取り付け具として、引っ掛けシーリングや引っ掛けローゼットが天井などに取り付けられている場合には、当該引っ掛けシーリングや引っ掛けローゼットに接続可能な接続具であってもよい。この場合、照明装置本体１００から接続コードを延出して、当該接続コードの先端に引っ掛けシーリングや引っ掛けローゼットに接続可能な接続具を取り付ければよい。
【００８６】
図９は、天井４１０に取り付けられている引っ掛けシーリング５００に照明装置を取り付ける場合を説明するために示す図である。ここでは、実施形態１に係る照明装置１０を取り付ける場合について説明するが、実施形態２に係る照明装置２０も実施形態１に係る照明装置１０と同様に取り付けることができる。なお、図９においては、照明装置本体１００の内部構成の図示は省略されている。
【００８７】
図９に示すように、引っ掛けシーリング５００に照明装置１０を取り付ける場合の接続具としては、引っ掛けシーリング５００用の接続具２１０を用いる。そして、図９（ａ）に示すように、照明装置本体１００から接続コード２１１を延出させて、当該接続コード２１１の先端部に引っ掛けシーリング５００用の接続具２１０を取り付ける。このような構成とすることにより、図９（ｂ）に示すように、引っ掛けシーリング用の接続具２１０を、天井４１０に取り付けられている引っ掛けシーリング５００に取り付けることができる。
【００８８】
なお、図９においては、引っ掛けシーリング５００に実施形態１に係る照明装置１０を取り付ける場合を例示したが、引っ掛けローゼットに実施形態１に係る照明装置１０を取り付けることもできる。この場合は、図示は省略するが、照明装置１０側の接続具としては引っ掛けローゼット用の接続具を用いればよい。
【００８９】
（６）上記各実施形態においては、投写すべき画像情報は、Ｗｅｂ情報やＴＶ放送などに限られるものではなく、例えば、パーソナルコンピュータに保存されている画像情報を投写することも可能である。
【００９０】
（７）上記各実施形態においては、画像形成部１２０における光変調素子としては液晶光変調素子を用いた場合を例示したが、これに限られるものではなく、デジタルマイクロミラーデバイスを用いたものであってもよい。
【００９１】
（８）上記実施形態においては、当該照明装置１０が照明用として機能する場合には、液晶光変調素子１２０を白画像にして画像投写部１９０から投写する場合を例示したが、これに限られるものではなく、照明用として機能する場合には、液晶光変調素子１２０が透明（画像を生成せず、透明のまま）の状態でもよいし、液晶光変調素子１２０が機械的に光源部１１０から回避するようにしてもよい。このように構成することで、所定の明るさをより効率的に得ることができる。
【００９２】
（９）上記実施形態においては、当該照明装置１０のフォーカス調整は、レンズ１３０に電極１６０に電圧を印加することで厚みを制御しているが、これらに限られるものではなく、レンズ１３０をねじ式として、手動でフォーカス調整するようにしてもよい。このように構成することで部品点数を削減することができ、照明装置をより簡素化でき、より軽量化を図ることができる。
【符号の説明】
【００９３】
１０，２０・・・照明装置、１００・・・照明装置本体、１１０・・・光源部、１１１・・・光源、１１２・・・コリメーター光学系、１１３・・・偏光変換素子、１２０・・・画像形成部（液晶光変調素子）、１３０・・・レンズ、１４０・・・距離計測部、１５０・・・撮像部、１６０・・・電極、１７０・・・制御部、１８０・・・音声出力部、１９０・・・画像投写部、２００・・・接続具、２１０・・・引っ掛けシーリング用の接続具、２１１・・・接続コード、３００・・・照明装置取り付け具、４００・・・キッチン、４１０・・・天井、４３０・・・調理台、４３１・・・調理台の上面、５００・・・引っ掛けシーリング、Ｇ・・・投写範囲
【図１】
0006347273.tif 000002
【図２】
0006347273.tif 000003
【図３】
0006347273.tif 000004
【図４】
0006347273.tif 000005
【図５】
0006347273.tif 000006
【図６】
0006347273.tif 000007
【図７】
0006347273.tif 000008
【図８】
0006347273.tif 000009
【図９】
0006347273.tif 000010